(57)【特許請求の範囲】
【請求項１】
洗浄槽に配置された内視鏡を洗浄消毒する内視鏡洗浄消毒装置において、
装置本体に着脱自在に装着され、上記内視鏡を洗浄消毒するための所定の回数分の液量の濃縮液が貯溜されたボトルと、
上記装置本体に装着された上記ボトルと気密に接続され、内路を大気開放する圧力開放弁が配設された送気路と、
該送気路を介して、上記ボトル内に加圧空気を供給する加圧部と、
上記ボトルと水密に接続され、上記加圧空気の圧力により上記ボトル内の上記濃縮液が送液される送液路と、
上記濃縮液の送液量を検出する検知部と、
上記送気路、及び上記送液路と気密、及び水密に接続された状態の上記ボトルを固定する固定機構と、
上記圧力開放弁、及び上記加圧部を制御すると共に、上記検知部による検出信号から演算して上記ボトルから送液された上記濃縮液が上記所定の回数分の液量に達したときに、上記固定機構を解除する制御部と、
を具備することを特徴とする内視鏡洗浄消毒装置。
【請求項２】
さらに、
上記ボトルを装着するボトル装着部に開閉自在に設けられた扉部と、
該扉部の開閉を検知する扉センサと、
を備え、
上記制御部は、上記扉センサから上記扉部が開いた検出信号が入力されると、上記圧力開放弁を大気開放側へ切替えると共に、上記加圧部の駆動を停止することを特徴とする請求項１に記載の内視鏡洗浄消毒装置。
【請求項３】
さらに
警告装置を備え、
上記制御部は、上記扉センサから上記扉部が開いた検出信号が入力されると、上記警告装置を駆動することを特徴とする請求項２に記載の内視鏡洗浄消毒装置。
【請求項４】
上記扉部は、閉じたときに、上記ボトルと当接して、該ボトルを上記ボトル装着部内の上記送気路側、及び上記送液路側へ移動させて接続させる押込部材を備えていることを特徴とする請求項３に記載の内視鏡洗浄消毒装置。
【発明の詳細な説明】
【技術分野】
【０００１】
本発明は、内視鏡を自動的に洗浄消毒する内視鏡洗浄消毒装置であって、特に、薬剤等の濃縮液が貯溜されたボトルを交換する内視鏡洗浄消毒装置に関する。
【背景技術】
【０００２】
近年、内視鏡は、医療分野及び工業用分野において広く利用されている。医療分野において用いられる内視鏡は、細長い挿入部を体腔内に挿入することによって、体腔内の臓器を観察したり、必要に応じて内視鏡が具備する処置具の挿通チャンネル内に挿入した処置具を用いて各種処置をしたりすることができる。
【０００３】
この医療分野の内視鏡は、特に検査、及び治療を目的として体腔内に挿入されて使用されるものであるため、使用後に、再度使用するため洗浄消毒が必要となる。この使用済みの内視鏡を洗浄消毒は、手洗い洗浄消毒の他、内視鏡洗浄消毒装置によって自動で行われることが周知である。
【０００４】
このように自動で内視鏡を洗浄消毒する内視鏡洗浄消毒装置は、消毒液である薬液、及び洗浄液である洗剤を所定の濃度に希釈して、装置内を循環させる。これにより、内視鏡洗浄消毒装置は、洗浄消毒槽内に設置された内視鏡を洗浄消毒することができる。
【０００５】
例えば、特許文献１、及び特許文献２に記載されるように、消毒用の薬液は、密閉された薬液ボトル内に貯溜されており、この薬液ボトルがセットされて、内部の薬液が内視鏡洗浄消毒装置内に注入される技術が開示されている。これら従来の薬液ボトルには、内視鏡洗浄消毒装置にセット時に、容易に破断する薄膜部を有している。また、薬液ボトル内の薬液は、装置内へ自重落下により注入される構成となっている。
【特許文献１】特開２０００−２８８０６９号公報
【特許文献２】特開平１１−１３７５０６号公報
【発明の開示】
【発明が解決しようとする課題】
【０００６】
しかしながら、特許文献１、及び特許文献２の技術は、薬液ボトル内に貯溜されている薬液が使用済みの内視鏡を１回洗浄消毒するだけの実用液を生成する液量、又は規定の回数で内視鏡を洗浄消毒できる実用液を生成する１回分だけの液量しかなく、洗浄消毒する内視鏡毎、又は規定の回数に達した実用液の交換毎に、ユーザがその都度、薬液ボトルを内視鏡洗浄消毒装置に交換しなければならない。そのため、従来の薬液ボトルは、複数回の実用液を生成することができる薬液の貯溜ができるようにすることが望まれている。
【０００７】
また、従来の薬液ボトルでは、内視鏡洗浄消毒装置に装着されるとき、その装着状態が良くないと内部の薬液が漏れ出して、適量の薬液が装置内へ注入されない可能性がある。すなわち、内視鏡洗浄消毒装置は、適量の薬液が注入されないと、薬液の液量が減少して、所定の濃度の消毒実用液が生成できなくなってしまう。さらに、防水処理が施されていない装置各部に漏れた薬液が流れてしまうと、その部分を腐食させてしまうという可能性もある。
【０００８】
また、従来の薬液ボトル内の薬液は、自重落下により装置内に注入されるため、薬液ボトル内に少量ではあるが残液する場合がある。この薬液が残液した薬液ボトルの交換時にも、残液している少量の薬液が漏れて装置各部に流れてしまう場合も考えられる。
【０００９】
さらに、従来の薬液ボトルは、内視鏡洗浄消毒装置から簡単に取り外せることができる。そのため、薬液ボトル内に薬液が残っているにも拘らず、ユーザが誤って、内視鏡洗浄消毒装置から薬液ボトルを取り外した場合、薬液が漏れて装置各部に流れてしまう場合も考えられる。
【００１０】
そこで、本発明は、上記事情に鑑みてなされたものであり、その目的とするところは、所定の回数分の上記内視鏡を洗浄消毒することのできる濃縮液が貯溜されたボトルから適量の濃縮液を装置内へ送液することができると共に、このボトルの装着時、及び交換時において、濃縮液がボトルから液漏れすることを防止した内視鏡洗浄消毒装置を提供することにある。
【課題を解決するための手段】
【００１１】
上記目的を達成するため本発明による内視鏡洗浄消毒装置は、洗浄槽に配置された内視鏡を洗浄消毒する内視鏡洗浄消毒装置において、装置本体に着脱自在に装着され、上記内視鏡を洗浄消毒するための所定の回数分の液量の濃縮液が貯溜されたボトルと、上記装置本体に装着された上記ボトルと気密に接続され、内路を大気開放する圧力開放弁が配設された送気路と、該送気路を介して、上記ボトル内に加圧空気を供給する加圧部と、上記ボトルと水密に接続され、上記加圧空気の圧力により上記ボトル内の上記濃縮液が送液される送液路と、上記濃縮液の送液量を検出する検知部と、上記送気路、及び上記送液路と気密、及び水密に接続された状態の上記ボトルを固定する固定機構と、上記圧力開放弁、及び上記加圧部を制御すると共に、上記検知部による検出信号から演算して上記ボトルから送液された上記濃縮液が上記所定の回数分の液量に達したときに、上記固定機構を解除する制御部と、を具備することを特徴とする。
【発明の効果】
【００１２】
本発明によれば、所定の回数分の上記内視鏡を洗浄消毒することのできる濃縮液が貯溜されたボトルから適量の濃縮液を装置内へ送液することができると共に、このボトルの装着時、及び交換時において、濃縮液がボトルから液漏れすることを防止した内視鏡洗浄消毒装置を実現することができる。
【発明を実施するための最良の形態】
【００１３】
以下、図１〜図９に基づいて、本発明の一実施の形態について説明する。  
図１〜図９は、本発明の一実施の形態に係り、図１は内視鏡洗浄消毒装置を示す斜視図、図２は内視鏡洗浄消毒装置の内部を示す概略構成図、図３は薬剤ボトルが装着された薬剤ボトル装着部の構成を示す部分断面図、図４は薬剤ボトル装着部の扉部が開放された状態を示す部分断面図、図５はアルコールボトルが装着されたアルコールボトル装着部の構成を示す部分断面図、図６は薬剤ボトルの構成を示す断面図、図７は薬剤ボトル装着部に装着された薬剤ボトルを示す断面図、図８は制御部に接続される各センサ、及び各駆動要素を示す概略構成図、図９は制御部が実行する一制御例を示すフローチャートである。
【００１４】
内視鏡洗浄消毒装置１は、図１に示すように、全体が略直方体形状をした装置本体２と、装置本体２の上面を覆うトップカバー３と、を有する。洗浄槽カバーとしてのトップカバー３は、装置本体２の上面に対してヒンジ機構（図示せず）により開閉自在となるように取り付けられている。
【００１５】
装置本体２の上面には、内視鏡１０１を収納可能な洗浄消毒槽（以下、洗浄槽と略記）４が設けられている。洗浄槽４内に収納された内視鏡１０１は、トップカバー３が装置本体２の洗浄槽４を覆うように閉じられた状態において、所定の洗浄消毒工程に従って、洗浄と消毒が行われる。また、装置本体２の前面には、スタート、ストップ、各種洗浄消毒機能などを設定指示できると共に、各種表示機能を備えた操作パネル９を有している。尚、この操作パネル９には、内視鏡洗浄消毒装置１の各種異常を知らせる警告表示部である警告表示機９ａが設けられている。
【００１６】
また、装置本体２の前面には、３つの扉部６〜８が開閉自在に配設されている。扉部６は、装置本体２内へ消毒用の濃縮液である薬剤が貯溜された薬剤ボトル４１を設置交換するため開閉扉である。また、扉部７は、装置本体２内に洗浄用の濃縮液である洗剤が貯溜された洗剤ボトル４２を設置交換するため開閉扉である。さらに、扉部８は、装置本体２内へアルコールが貯溜されたアルコールボトル４３を設置交換するための開閉扉である。
【００１７】
内視鏡１０１は、可撓性を有する挿入部１０２と、操作部１０３とから構成されている。挿入部１０２は、曲げられて洗浄槽４内に収納される。具体的には、操作部１０３は、洗浄槽４内に設けられた複数のピン４ａの間に位置決めされてセットされる。尚、挿入部１０２を所定の形状で位置決めするためのピンを洗浄槽４に設けても良い。
【００１８】
内視鏡１０１の挿入部１０２には、図示しない内視鏡管路である複数のチャンネルが配設されている。これらチャンネルは、処置具などを挿通したり、吸引、送気、送水等を行ったりするために設けられた内視鏡管路である。尚、これらのチャンネルは、一端が操作部１０３にて開口し、他端が挿入部１０２の先端部にて開口している。
【００１９】
洗浄槽４の壁面には、操作部１０３にて開口する複数、ここでは２つのチャンネルと個別に接続された２つの接続チューブ１３，１４（図２参照）を介して、装置本体２内を循環する液体を個別に送液するための複数、ここでは２つの第１送液ポート１１、及び第２送液ポート１２等が設けられている。尚、この洗浄槽４には、後述する、その他のノズル等が配設されている。
【００２０】
次に、図２に基づいて、本実施の形態の内視鏡洗浄消毒装置１の内部構成について以下に説明する。  
図２に示すように、内視鏡洗浄消毒装置１は、装置本体２に配設された給水ホース接続部１９が給水ホース１８の一端と接続されて、この給水ホース１８の他端が外部の水道栓１１０に接続される。これにより、内視鏡洗浄消毒装置１は、内視鏡１０１を洗浄消毒するための水道水が供給される。
【００２１】
この給水ホース接続部１９は、給水管路２３の一端と連通している。この給水管路２３は、他端が洗浄槽４に設けられた給水口１６に接続されている。また、給水管路２３には、その中途において、給水ホース接続部１９側から順に、給水電磁弁２０、及び給水フィルタ２１、及び３方切替電磁弁２２が介装されている。尚、給水フィルタ２１は、定期的に交換できるように、カートリッジタイプの濾過フィルタである。そして、洗浄槽４等に給水される水道水は、給水フィルタ２１を通過することにより濾過される。
【００２２】
給水管路２３の中途に介装された３方切替電磁弁２２は、所定の濃度に希釈される消毒液を貯溜する薬液タンク２８まで延設した希釈水供給管路２４の一端が接続されている。すなわち、ここでの３方切替電磁弁２２は、給水口１６を介して洗浄槽４に水道水を供給したり、希釈水供給管路２４を介して薬液タンク２８に希釈水となる水道水を供給したりするために内部の弁を切替動作する。
【００２３】
洗浄槽４の底面部には、排水口３１が設けられている。この排水口３１の下部には、弁の切替動作により、洗浄槽４内の液体を外部へ排出したり、装置本体２内に循環させたり、消毒液を薬液タンク２８へ回収するための切替弁３２が配設されている。
【００２４】
この切替弁３２には、循環管路３６の一端が接続されている。この循環管路３６の中途には、３方切替電磁弁３９が介装されている。この３方切替電磁弁３９には、排水管路３４の一端が接続されている。つまり、ここでの３方切替電磁弁２９は、内部の弁の切替動作により、循環管路３６を排水管路３４と選択的に連通させるためのものである。
【００２５】
また、排水管路３４には、排水ポンプ３３が介装され、他端がドレインホース等を介して、外部排水口に接続される。つまり、排水管路３４内に送られた液体は、排水ポンプ３３の駆動により、装置本体２の外部の外部排水口へ強制的に排出される。
【００２６】
循環管路３６は、中途において、チャンネル管路３８が連通するように分岐接続されている。このチャンネル管路３８は、中途に循環管路３６との接続側から逆止弁３８ａ、及びチャンネルポンプ３７が介装されており、このチャンネルポンプ３７の先で、流路が２つに分岐している。これら２つの分岐端には、上述の第１送液ポート１１、及び第２送液ポート１２が接続されている。つまり、循環管路３６に送られた洗浄液、消毒液、又は濯ぎ水の液体は、チャンネル管路３８のチャンネルポンプ３７の駆動によって、各送液ポート１１，１２、及び各接続チューブ１３，１４を介して、洗浄槽４内に設置された内視鏡１０１に設けられる２つのチャンネル内に送液される。
【００２７】
また、循環管路３６は、中途に循環ポンプ３５が介装されており、洗浄槽４の壁面に設けられた循環ノズル１５に接続されている。つまり、循環管路３６に送られた洗浄液、消毒液、又は濯ぎ水の液体は、循環ポンプ３５の駆動により、循環ノズル１５から洗浄槽４内へ噴出され、主に内視鏡１０１の外表面を洗浄、消毒、又は濯ぐ。また、洗浄槽４に送れられた液体は、再度、排水口３１から循環管路３６に送られて循環する。
【００２８】
上述した、薬液タンク２８には、供給される薬剤、希釈水、及び希釈生成した薬液の液量を検出する検知部の水位センサ２８ａが設けられ、薬液管路２６が接続されている。この薬液管路２６は、中途に薬液ポンプ２５が介装されており、洗浄槽４の壁面に設けられた薬液ノズル１７ａに接続されている。つまり、薬液タンク２８内に貯溜された消毒液は、薬液ポンプ２５の駆動により、吸い上げられて、薬液ノズル１７ａから洗浄槽４内へ送液される。尚、本実施の形態の消毒液は、内視鏡１０１の消毒工程が所定の回数となったときに交換されるもので、交換するとき以外は、再度、消毒工程の終了後に、排水口３１の切替弁３２に接続された薬液回収管路２７を介して、洗浄槽４から薬液タンク２８内へ戻される。また、内視鏡洗浄消毒装置１は、薬液回収管路２７が設けられず、内視鏡１０１の消毒工程毎に消毒液が排水管路３４を介して、外部排水口に排出される構成としても良い。
【００２９】
また、装置本体２内には、加圧部であるコンプレッサ５１が設けられている。このコンプレッサ５１は、装置本体２の壁面にて大気開放された送気路を構成する送気管路６１の中途に介装されている。この送気管路６１には、コンプレッサ５１による圧縮空気の排気側に所定の圧力以上で弁が開放するリリーフ弁５２が設けられている。また、送気管路６１には、逆止弁５３、定圧タンク５４、及び３方切替電磁弁である圧力開放切替弁５６が介装されている。また、定圧タンク５４には、圧力センサ５５が設けられている。
【００３０】
送気路である送気管路６１は、圧力開放切替弁５６から先に２つの分岐部を有しており、それら分岐部に３方切替電磁弁の送気路切替弁５７，５８が設けられている。送気路切替弁５７には、アルコールボトル側送気管路６７の一端が接続されている。この送気路切替弁５７は、コンプレッサ５１からの加圧空気の送気路を送気管路６１側、又はアルコールボトル側送気管路６７側へ選択的に切り替える。
【００３１】
また、送気路切替弁５８は、送気管路６１の端部に配設され、洗剤ボトル側送気管路５９、及び薬剤ボトル側送気管路６０の一端が接続されている。この、送気路切替弁５８は、コンプレッサ５１からの加圧空気の送気路を洗剤ボトル側送気管路５９側、又は薬剤ボトル側送気管路６０側へ選択的に切り替える。
【００３２】
尚、薬剤ボトル側送気管路６０は、薬剤ボトル装着部４４まで延設され、この薬剤ボトル装着部４４に装着された薬剤ボトル４１と気密に接続される。この薬剤ボトル装着部４４には、薬剤供給管路６４が接続されている。この薬剤供給管路６４は、薬剤ボトル装着部４４に装着された薬剤ボトル４１と水密に接続される。また、薬剤供給管路６４は、薬液タンク２８まで延設され、接続されている。
【００３３】
つまり、本実施の形態の内視鏡洗浄消毒装置１は、各送気管路６１，６０を介して、コンプレッサ５１からの加圧空気を薬剤ボトル４１内に供給し、内圧が上昇した薬剤ボトル４１から薬剤が薬剤供給管路６４を介して薬液タンク２８に注入される構成となっている。そして、内視鏡洗浄消毒装置１は、希釈水供給管路２４を介して水道栓１１０からの水道水を薬液タンク２８内に供給して、薬液タンク２８内に注入された薬剤を所定の濃度に希釈して、内視鏡１０１を消毒する消毒実行液を生成する。
【００３４】
また、洗剤ボトル側送気管路５９は、洗剤ボトル装着部４５まで延設され、この洗剤ボトル装着部４５に装着された洗剤ボトル４２と気密に接続される。この洗剤ボトル装着部４５には、洗剤供給管路６６が接続されている。この洗剤供給管路６６は、洗剤ボトル装着部４５に装着された洗剤ボトル４２と水密に接続される。また、洗剤供給管路６６には、検知部を構成する流量計６５が介装されている。この洗剤供給管路６６は、洗浄槽４まで延設されており、洗浄槽４の壁面に設けられた洗剤ノズル１７ｂに接続されている。
【００３５】
つまり、本実施の形態の内視鏡洗浄消毒装置１は、各送気管路６１，５９を介して、コンプレッサ５１からの加圧空気を洗剤ボトル４２内に供給し、内圧が上昇した洗剤ボトル４２から洗剤が洗剤供給管路６６、及び洗剤ノズル１７ｂを介して洗浄槽４内に注入される構成となっている。そして、内視鏡洗浄消毒装置１は、給水管路２３を介して水道栓１１０からの水道水を洗浄槽４内に供給して、洗浄槽４内に注入された洗剤を所定の濃度に希釈しながら装置内で循環させて、内視鏡１０１を洗浄する洗浄実行液を生成する。
【００３６】
また、アルコールボトル側送気管路６７は、アルコールボトル装着部４６まで延設され、このアルコールボトル装着部４６に装着されたアルコールボトル４３と気密に接続される。このアルコールボトル装着部４６には、アルコール供給管路６８が接続されている。このアルコール供給管路６８には、検知部を構成する流量計６９、及び逆止弁６８ａが介装されている。このアルコール供給管路６８は、チャンネル管路３８まで延設され、このチャンネル管路３８に接続されている。
【００３７】
つまり、本実施の形態の内視鏡洗浄消毒装置１は、各送気管路６１，５９を介して、コンプレッサ５１からの加圧空気をアルコールボトル４３内に供給し、内圧が上昇したアルコールボトル４３からアルコールがアルコール供給管路６８、チャンネル管路３８、各ポート１１，１２に接続された各チューブ１３，１４を介して、洗浄槽４内に配設された内視鏡１０１のチャンネル内に供給される構成となっている。尚、このアルコールを内視鏡１０１のチャンネルに供給する工程は、従来から行われている乾燥工程であるアルコールフラッシュ工程であるため、その詳細な説明を省略する。
【００３８】
また、内視鏡洗浄消毒装置１の内部には、外部のＡＣコンセントから電力が供給される電源９２と、この電源９２と電気的に接続される制御部９１が設けられている。この制御部９１は、操作パネル９、及び上述した各種センサからの各種信号が供給され、上述した各ポンプ、コンプレッサ、各電磁弁などを駆動制御する。尚、以上に説明した本実施の形態の内視鏡洗浄消毒装置１は、内視鏡１０１の洗浄消毒効率を向上させるために、洗浄槽４の底面に超音波振動子、ヒータ等を備えた構成としても良い。
【００３９】
次に、各種ボトル４１〜４３を交換自在に装着される装置本体２に配設された各ボトル装着部４４〜４６の構成について、以下に説明する。  
先ず、薬剤ボトル４１が交換自在に装着される薬剤ボトル装着部４４、及び洗剤ボトル４２が交換自在に装着される洗剤ボトル装着部４５の構成について、図３、及び図４に基づいて説明する。尚、薬剤ボトル装着部４４と洗剤ボトル装着部４５は接続される各送気管路５９，６０と各供給管路６６，６４が異なるだけであり、同一の構成であるため、ここでは、薬剤ボトル装着部４４のみを例に挙げて説明する。
【００４０】
装置本体２に配設される薬剤ボトル装着部４４は、図３に示すように、装置本体２の前面部で開口する箱形状のボトル収容部７１と、薬剤ボトル４１が載置されるボトルトレイ７２と、を備えている。また、ボトル収容部７１には、開口部を上述した扉部６がヒンジ７８により開閉自在に配設されている。尚、扉部６は、薬剤ボトル装着部４４を閉じた状態において、図示しない固定手段、例えば、マグネット、又は鍵部の従来からの構成によって、閉じた状態が固定されるものである。
【００４１】
ボトル収容部７１は、開口部と反対側の一面部に、薬剤ボトル側送気管路６０、及び薬剤供給管路６４が嵌挿固定されており、上記一面部側が鉛直上方側となるように、所定の角度θで傾いた状態で装置本体２に配設されている。
【００４２】
ボトルトレイ７２は、薬剤ボトル４１の２つの口部４７，４８を挿嵌保持する孔部７３ａ，７３ｂが形成された板状の口部保持体７３を有し、この口部保持体７３が薬剤ボトル４１を載置する面に対して上部側へ垂直に延設している。また、ボトルトレイ７２には、底面部の一部分が切り欠かれたロック用孔部７２ａが形成され、表面側に載置される薬剤ボトル４１に当接して、ずれなどによる薬剤ボトル４１の移動を規制する規制体７２ｂが設けられている。さらに、ボトルトレイ７２は、ボトル収容部７１の内側面に配設されたレール７５にガイドされる車輪部７４を有している。つまり、ボトルトレイ７２は、薬剤ボトル装着部４４のボトル収容部７１内部で、レール７５に沿って、スライド自在に配設されている。
【００４３】
また、薬剤ボトル装着部４４は、ボトル収容部７１内で回動軸部７７によって回動保持された略棒状のロック部材７６が設けられている。このロック部材７６は、ボトル収容部７１内の端部にボトルトレイ７２のロック用孔部７２ａに係入するブロック状のロック体７６ａと、ボトル収容部７１外の端部に下方に延設され、ロック検知センサ８３のスイッチを押下してＯＮ／ＯＦＦ検知させるための検知端部７６ｂと、を有している。尚、ボトル収容部７１には、ロック部材７６が挿通する孔部７１ａが形成されている。
【００４４】
さらに、薬剤ボトル装着部４４は、ボトル収容部７１の外部において、延出するロック部材７６に固定され、下方側にロック部材７６を付勢するバネ８２と、ロック部材７６の略同位置に固定され、上方側にロック部材７６を引き上げるソレノイド８１と、を有している。また、ボトル収容部７１には、扉部６の開閉を検知する扉検知センサ８０が設けられている。
【００４５】
尚、扉検知センサ８０、ソレノイド８１、及びロック検知センサ８３は、装置本体２内の制御部９１（図２参照）と電気的に接続されている。各センサ８０，８３は、制御部９１に検知信号を出力する。また、ソレノイド８１は、制御部９１に駆動制御される。
【００４６】
また、扉部６には、ボトルトレイ７２に載置された薬剤ボトル４１の底面部を当接して押込むブロック形状の押込部材７９が設けられている。つまり、扉部６が閉じられると、押込部材７９が薬剤ボトル４１をボトル収容部７１内へ押込み、ボトルトレイ７２がボトル収容部７１内へスライド移動する。
【００４７】
そして、扉部６が薬剤ボトル装着部４４を閉じた状態において、薬剤ボトル４１の２つの口部４７，４８が対応する薬剤ボトル側送気管路６０、又は薬剤供給管路６４に挿嵌されて、気密水密に確実に接続される。このとき、扉検知センサ８０は、扉部６によりスイッチがＯＮされ、その検出信号となるＯＮ信号を制御部９１に出力する。
【００４８】
尚、薬剤ボトル側送気管路６０、及び薬剤供給管路６４の端部の夫々には、薬剤ボトル４１の各口部４７，４８との接続が気密水密となるように、Ｏリング６０ａ，６４ａが設けられている（図４参照）。これにより、２つの口部４７，４８から薬剤ボトル４１内の薬剤が漏れ出すことが防止される。
【００４９】
この状態において、ロック部材７６は、バネ８２による下方への付勢により、回動軸部７７回りにロック体７６ａが上方へ移動し、ボトルトレイ７２のロック用孔部７２ａ内に係入される。つまり、ボトルトレイ７２は、ボトル収容部７１内でスライド移動できず、固定された状態となる。また、ロック部材７６の検知端部７６ｂは、下方に移動し、ロック検知センサ８３のスイッチを押下（ＯＮ）する。尚、このとき、ソレノイド８１は、フリーの状態となっている。
【００５０】
つまり、薬剤ボトル装着部４４内のボトルトレイ７２は、図４に示すように、ソレノイド８１が制御部９１によって駆動制御されて、バネ８２の下方への付勢力に抗して、ロック部材７６を引き上げて回動させ、ロック体７６ａが下方へ移動してロック用孔部７２ａから抜けない限り、スライド移動できない構成となっている。これにより、薬剤ボトル４１は、扉部６が開けられたとしても、制御部９１によりロックが解除されない限り、２つの口部４７，４８が薬剤ボトル側送気管路６０、又は薬剤供給管路６４に接続された状態で固定される。
【００５１】
従って、本実施の形態の内視鏡洗浄消毒装置１は、ロックが解除されない限り、ユーザが扉部６を開けても、薬剤ボトル装着部４４に設置された薬剤ボトル４１を取り出すことができず、薬剤ボトル４１の２つの口部４７，４８と、薬剤ボトル側送気管路６０、又は薬剤供給管路６４とが気密水密保持された状態の接続が維持される。これにより、内視鏡洗浄消毒装置１は、ロックが解除されない限り、２つの口部４７，４８から薬剤ボトル４１内の薬剤が漏れ出すことが防止される。
【００５２】
また、ボトルトレイ７２をガイドするレール７５には、車輪部７４に当接して、ボトルトレイ７２がボトル収容部７１の開口部側へスライド移動する移動量を規制するストッパ７５ａが設けられている。尚、洗剤ボトル装着部４５は、以上のように構成された薬剤ボトル装着部４４と同一の構成となっており、ボトル収容部７１に接続される管路が洗剤ボトル側送気管路５９、及び洗剤供給管路６６となる違いだけである。
【００５３】
次に、アルコールボトル４３が交換自在に装着されるアルコールボトル装着部４６の構成について、図５に基づいて説明する。尚、アルコールボトル装着部４６は、上述の薬剤ボトル装着部４４、及び洗剤ボトル装着部４５と殆どが同一の構成を有しており、ボトルトレイ７２のスライド移動をロックするロック部材の構成のみ異なる。そのため、以下のアルコールボトル装着部４６の説明において、薬剤ボトル装着部４４、及び洗剤ボトル装着部４５と異なる構成部分のみ説明し、共通の構成については省略する。
【００５４】
本実施の形態のアルコールボトル装着部４６は、図５に示すように、アルコールボトル４３が載置されるボトルトレイ７２を固定するロック部材８４がユーザによって、回動操作可能な構成となっている。
【００５５】
詳述すると、ロック部材８４は、ボトル収容部７１内で回動軸部８５に回動保持されている。このロック部材８４は、一端に配設され、ボトルトレイ７２のロック用孔部７２ａに係入するブロック状のロック体８４ａと、中途から下方に延設された検知用延出部８４ｂと、他端に配設され、ユーザによる回動操作のための操作端部８４ｃと、を有している。つまり、アルコールボトル装着部４６のロック部材８４は、ユーザによって、回動操作自在なレバー体である。また、ロック部材８４は、操作端部８４ｃがボトル収容部７１の開口部側へ配置される。
【００５６】
また、アルコールボトル装着部４６は、上述したロック検知センサ８３、及びロック部材８４を下方へ付勢するバネ８２がボトル収容部７１内に配設される。ここでのバネ８２は、ロック部材８４を回動保持する回動軸部８５よりもボトル収容部７１の開口部側に配置されている。これにより、バネ８２は、ロック体８４ａが上方へ移動してロック用孔部７２ａ内に係入されるように、ロック部材８４を回動軸部８５回りに付勢している。
【００５７】
つまり、アルコールボトル装着部４６内のボトルトレイ７２は、バネ８２の下方への付勢力に抗して、ユーザによってロック部材７６の操作端部８４ｃが押し上げられて、ロック体８４ａが下方へ移動してロック用孔部７２ａから抜けない限り、スライド移動できない構成となっている。従って、本実施の形態の内視鏡洗浄消毒装置１は、ユーザが任意でアルコールボトル装着部４６からアルコールボトル４３を取り出すことができ、アルコールボトル４３の２つの口部４７，４８と、アルコールボトル側送気管路６７、又はアルコール供給管路６８との接続を解除することができる。
【００５８】
また、装置本体２のアルコールボトル装着部４６の開口部を閉じている扉部８が開けられると、扉検知センサ８０が制御部９１へ扉部８が開いたことを検知してＯＦＦ信号を出力する。このとき、制御部９１は、図２に示した、送気管路６１に配設された圧力開放切替弁５６を大気開放側へ切り替える。すると、アルコールボトル４３は、内部に供給されていた加圧空気が大気開放され、内部の圧力が大気圧まで低下される。これにより、内視鏡洗浄消毒装置１は、ユーザによりアルコールボトル４３のロックが解除されても、取り出すアルコールボトル４３内のアルコールが口部４７，４８から噴出して漏れることを防止することができる。
【００５９】
尚、内視鏡洗浄消毒装置１の各種機能は、上述の各ボトル装着部４４〜４６に配設されたロック検知センサ８３がＯＮとなったボトルトレイ７２が固定されている状態でないと駆動しない構成となっている。
【００６０】
次に、薬剤ボトル４１、洗剤ボトル４２、及びアルコールボトル４３の構成について、図６、及び図７を用いて説明する。尚、これら各ボトル４１〜４３は、同一の構成であるため、薬剤ボトル４１のみを例に挙げて以下に説明する。  
図６に示すように、薬剤ボトル４１は、薬剤が貯溜されたボトル容器９５の上面部に、上述した２つの口部４７，４８が水密に固定されている。これら口部４７，４８には、薬剤ボトル側送気管路６０、及び薬剤供給管路６４が接続されると、開放する封止弁４７ａ，４８ａが夫々設けられている。つまり、薬剤ボトル４１は、装置本体２の薬剤ボトル装着部４４に非装着の状態において、各口部４７，４８の封止弁４７ａ，４８ａが閉じた状態であり、ボトル容器９５が気密水密保持されている。
【００６１】
また、薬剤ボトル側送気管路６０に接続される口部４７には、ボトル容器９５内に収容され、開口部９６ａがボトル容器９５の内側壁を臨むようにＬ字状に屈曲された送気側チューブ体９６が接続されている。つまり、図３に示したように、薬剤ボトル４１が薬剤ボトル装着部４４に所定の角度θで傾いた状態で装着され、薬剤ボトル側送気管路６０に口部４７が接続されると、図７に示すように、送気側チューブ体９６の開口部９６ａが上方を臨む状態となる。
【００６２】
一方、薬剤供給管路６４に接続される口部４８には、ボトル容器９５内に収容され、開口部９７ａがボトル容器９５の内側壁側に折れ曲がり、ボトル容器９５の底面部の近傍を臨むようきクランク状に形成された送液側チューブ体９７が接続されている。つまり、図３に示したように、薬剤ボトル４１が薬剤ボトル装着部４４に所定の角度θで傾いた状態で装着され、薬剤供給管路６４に口部４８が接続されると、送液側チューブ体９７の開口部９７ａがボトル容器９５内の下方側の底部を臨む状態となる。
【００６３】
この薬剤ボトル４１には、口部４７に接続された薬剤ボトル側送気管路６０を介して、送気側チューブ体９６の開口部９６ａからコンプレッサ５１からの加圧空気がボトル容器９５内に供給される。このとき、薬剤ボトル４１のボトル容器内には、送気側チューブ体９６の開口部９６ａが薬剤に浸かることなく、加圧空気が供給される。これにより、薬剤ボトル４１内の薬剤は、加圧空気により泡立つことが防止される。
【００６４】
また、加圧空気が供給された薬剤ボトル４１は、ボトル容器９５の内圧が上昇して、送液側チューブ体９７を介して、口部４８に接続された薬剤供給管路６４に薬剤を送液する。このとき、送液側チューブ体９７の開口部９７ａがボトル容器９５の底部下方に位置しているため、薬剤が効率よく、送液側チューブ体９７内に送液される。
【００６５】
洗剤ボトル４２、及びアルコールボトル４３は、以上のように構成された薬剤ボトル４１と同一の構成であり、これら各ボトル４１〜４３内の薬剤、洗剤、又はアルコールが各送気管路６０，５９，６７から供給される加圧空気により泡立つことなく、効率よく各供給管路６４，６６，６８へ送液される構成となっている。
【００６６】
尚、アルコールボトル４３は、各口部４７，４８がボトル容器９５に着脱自在な構成として、ボトル容器９５内に貯溜するアルコールを継ぎ足し可能な構成となっている。つまり、本実施の形態のアルコールボトル４３は、アルコールを継ぎ足し式のリユースタイプの構成である。また、薬剤ボトル４１は、所定の回数の消毒実用液を生成する薬剤の液量が貯溜され、所定の回数の消毒実用液を生成する薬剤が使いきられると、ボトル毎交換されるディスポーザブルタイプの構成となっている。これと同様に、洗剤ボトル４２も、所定の回数の洗浄実用液を生成する洗剤の液量が貯溜され、所定の回数の洗剤実用液を生成する洗剤が使いきられると、ボトル毎に交換されるディスポーザブルタイプの構成となっている。
【００６７】
以上に説明した本実施の形態の内視鏡洗浄消毒装置１は、プログラミングされた所定の洗浄消毒工程によって、洗浄工程のときに洗浄液、消毒工程のときに消毒液、及び濯ぎ工程のときに濯ぎ水を装置本体２内で循環させて、洗浄槽４に設置された内視鏡１０１を洗浄消毒する。この内視鏡洗浄消毒装置１が実行する内視鏡１０１の洗浄工程、消毒工程、及び濯ぎ工程における動作は、従来と同様に行われるため、これら各工程の詳しい説明を省略する。また、内視鏡洗浄消毒装置１は、濯ぎ工程終了後に、上述した、乾燥工程であるアルコールフラッシュ工程を実行する。
【００６８】
また、内視鏡洗浄消毒装置１の制御部９１は、図８に示すように、ＣＰＵ９１ａと、メモリ９１ｂを有している。この制御部９１のメモリ９１ｂには、薬剤ボトル４１内の薬液、及び洗剤ボトル４２内の洗剤が貯溜された液量に対する消毒実用液、及び洗浄実用液の設定された生成回数が格納される。
【００６９】
つまり、ＣＰＵ９１ａは、メモリ９１ｂを参照して、予め設定された、複数回の消毒実用液を生成することができる薬剤ボトル４１の薬剤の使用量、及び複数回の洗浄実用液を生成することができる洗剤ボトル４２の洗剤の使用量を演算する。
【００７０】
具体的には、薬剤ボトル４１内の薬剤は、薬液タンク２８に配設された水位センサ２８ａにより、１回分の使用量が計測され、この使用回数がＣＰＵ９１ａによってカウントされてメモリ９１ｂに記憶される。薬剤ボトル４１には、予め設定された使用回数分だけの薬剤の液量が貯溜されており、ＣＰＵ９１ａは、薬剤が設定された使用量に達すると薬剤ボトル４１の交換指示を行う。このとき、薬剤ボトル４１は、内部の薬剤が使いきられた空の状態となる。
【００７１】
また、洗剤ボトル４２内の洗剤は、洗剤供給管路６６に配設された流量計６５により、１回分の使用量が計測され、この使用回数がＣＰＵ９１ａによってカウントされてメモリ９１ｂに記憶される。洗剤ボトル４２には、予め設定された使用回数分だけ洗剤の液量が貯溜されており、ＣＰＵ９１ａは、洗剤が設定された使用量に達すると洗剤ボトル４２の交換指示を行う。このとき、洗剤ボトル４２は、内部の洗剤が使いきられた空の状態となる。
【００７２】
これらの交換指示は、装置本体２に図示しない液晶モニタ、警告灯などが設けられている。これにより、ユーザは、薬剤ボトル４１、及び洗剤ボトル４２の交換時期を認識することができる。
【００７３】
そして、ＣＰＵ９１ａは、薬剤ボトル４１、及び洗剤ボトル４２が空の状態であるとき、図３、及び図４に示した、各ボトル装着部４４，４５に配設されたソレノイド８１を駆動し、ボトルトレイ７２を固定していたロック部材７６をバネ８２の付勢力に抗して回動させて解除する。つまり、ソレノイド８１は、ロック部材７６を回動軸部７７回りに回動させることで、ロック体７６ａがボトルトレイ７２のロック用孔部７２ａから離脱させる。これにより、ボトルトレイ７２は、レール７５に沿ってスライド自在となる。つまり、ユーザは、ロックが解除されたボトルトレイ７２を引き出して、薬剤ボトル４１、及び洗剤ボトル４２の交換が可能となる。
【００７４】
尚、ロック部材７６、ソレノイド８１、バネ８２、及びボトルトレイ７２のロック用孔部７２ａは、ボトルトレイ７２に載置される薬剤ボトル４１、及び洗剤ボトル４２の各口部４７，４８と各送気管路６０，５９、及び各供給管路６４，６６とを気密水密に接続を維持する固定機構を構成している。
【００７５】
以上により、本実施の形態の内視鏡洗浄消毒装置１は、薬剤ボトル４１に貯溜された薬剤、及び洗剤ボトル４２に貯溜された洗剤が所定の使用回数で使いきられて、薬剤ボトル４１、及び洗剤ボトル４２が空の状態とならない限り、これらボトル４１，４２をロックして交換ができない構成とした経済的に優れた構成とすることができる。また、ユーザは、薬剤ボトル４１内の薬剤、及び洗剤ボトル４２の洗剤を予め設定された使用回数を管理する必要もなくなる。
【００７６】
さらに、薬剤ボトル４１、及び洗剤ボトル４２は、内部の薬剤、又は洗剤が残っている状態で、各ボトル装着部４４，４５から取り出されることがないため、薬剤、又は洗剤が各口部４７，４８から漏れ出すこともなくなる。
【００７７】
また、ＣＰＵ９１ａは、定圧タンク５４に設けられた圧力センサ５５、薬液タンク２８に設けられた水位センサ２８ａ、各流量計６５，６９、及び各扉検知センサ８０からの検出信号が入力される。これらの検出信号に基づいて、ＣＰＵ９１ａは、コンプレッサ５１、薬液ポンプ２５、及び各切替弁５６，５７，５８の駆動制御を行う。さらに、ＣＰＵ９１ａは、操作パネル９に設けられた警告表示機９ａ、及び装置本体２内に設けられた警報機９８に接続され、警告装置を構成する、これらの警告表示機９ａ、及び警報機９８を駆動制御する。
【００７８】
次に、図９のフローチャートに基づいて、本実施の形態の内視鏡洗浄消毒装置１が実行する薬剤ボトル４１内の薬剤、洗剤ボトル４２内の洗剤、及びアルコールボトル４３内のアルコールの送液時に制御部９１が実行する制御例について、以下に説明する。  
内視鏡洗浄消毒装置１の制御部９１は、スタンバイ状態から操作パネル９に設けられた図示しないスタートスイッチがＯＮされると、図９のフローチャートのルーチンに従った制御例を実行する。つまり、制御部９１は、先ず、スタートスイッチがＯＮされたか否かを判定する（Ｓ１）。
【００７９】
制御部９１は、スタートスイッチがＯＮされると、各扉検知センサ８０がＯＮしているか否かを判定する（Ｓ２）。つまり、制御部９１には、装置本体２の各扉部６〜８が閉じている状態であると、各扉検知センサ８０からＯＮ信号が入力される。
【００８０】
そして、制御部９１は、各扉検知センサ８０からＯＮ信号が入力されていると、設定された洗浄消毒プログラミングに従って、各ボトル４１〜４３内から薬剤、洗剤、及びアルコールの送液を開始する（Ｓ３）。
【００８１】
先ず、消毒工程において、薬剤ボトル４１内の薬剤は、薬液タンク２８に送液され、水位センサ２８ａにより、１回分の消毒実用液を生成するための液量が計測される。つまり、制御部９１は、コンプレッサ５１を駆動して、送気管路６１に設けられた送気路切替弁５８を薬剤ボトル側送気管路６０に加圧空気が送気されるように切り替える。そして、水位センサ２８ａにより、所定の薬剤の液量が検出されると、制御部９１は、圧力開放切替弁５６を大気開放側へＯＮ駆動して、薬剤ボトル４１からの薬剤の送液を停止する。
【００８２】
また、洗浄工程において、洗剤ボトル４２内の洗剤は、洗浄槽４に送液され、流量計６５により、１回分の洗浄実用液を生成するための液量が計測される。つまり、制御部９１は、コンプレッサ５１を駆動して、送気管路６１に設けられた送気路切替弁５８を洗剤ボトル側送気管路５９に加圧空気が送気されるように切り替える。そして、流量計６５により、所定の洗剤の液量が検出されると、制御部９１は、圧力開放切替弁５６を大気開放側へＯＮ駆動して、洗剤ボトル４２からの洗剤の送液を停止する。
【００８３】
また、アルコールフラッシュ工程において、アルコールボトル４３内のアルコールは、洗浄槽４の内視鏡１０１に送液され、流量計６９により、乾燥に必要な１回分のアルコールの液量が計測される。つまり、制御部９１は、コンプレッサ５１を駆動して、送気管路６１に設けられた送気路切替弁５７をアルコールボトル側送気管路６７に加圧空気が送気されるように切り替える。そして、流量計６９により、所定のアルコールの液量が検出されると、制御部９１は、圧力開放切替弁５６を大気開放側へＯＮ駆動して、アルコールボトル４３からのアルコールの送液を停止する。
【００８４】
これら薬剤、洗剤、及びアルコールの送液中においても、制御部９１は、各扉検知センサ８０からＯＮ信号が入力されているか否かを判定している（Ｓ４）。そして、各工程において、各扉検知センサ８０からＯＮ信号が入力され続け、上述したように、各センサ２８ａ，６５，６９によって、薬剤、洗剤、又はアルコールの所定の液量が送液されたことが検知されると、制御部９１は、送液を終了する（Ｓ５）。
【００８５】
つまり、各扉検知センサ８０からＯＮ信号が制御部９１に入力され続けている状態は、薬剤、洗剤、及びアルコールボトル４１〜４３が夫々装着されている薬剤、洗剤、及びアルコールボトル装着部４４〜４６の各扉部６〜８が閉じている状態である。
【００８６】
一方、制御部９１は、ステップＳ２において、各扉検知センサ８０のいずれかからＯＮ信号が入力されていない場合、警告表示機９ａ、及び警報機９８を駆動して、警告を行う（Ｓ６）。つまり、この状態では、薬剤、洗剤、及びアルコールボトル装着部４４〜４６の各扉部６〜８のいずれかが開いた状態である。これにより、ユーザは、各扉部６〜８のいずれかが開いていることを認識することができる。尚、制御部９１は、各扉部６〜８が閉じられると、警告表示機９ａ、及び警報機９８の駆動を停止制御する。
【００８７】
また、制御部９１は、ステップＳ４において、各扉検知センサ８０のいずれかからＯＮ信号が入力されていない場合、圧力開放切替弁５６を大気開放側へＯＮ駆動し（Ｓ７）、コンプレッサ５１を停止（ＯＦＦ）した後（Ｓ８）、警告表示機９ａ、及び警報機９８を駆動して、警告を行う（Ｓ９）。つまり、各ボトル４１〜４３から薬剤、洗剤、又はアルコールが送液されている最中に、アルコールボトル装着部４４〜４６の各扉部６〜８のいずれかがユーザによって誤って開けられると、制御部９１は、圧力開放切替弁５６を大気開放側へＯＮ駆動して、各ボトル４１〜４３の内圧を下げると共に、コンプレッサ５１の駆動を停止する。これにより、各ボトル４１〜４３の内圧が大気圧まで低下する。
【００８８】
そして、ユーザは、警告表示機９ａ、及び警報機９８の駆動によって、各扉部６〜８のいずれかが開いていることを認識することができる。このとき、ユーザは、各扉部６〜８を点検して、開いている扉部６〜８のいずれかを閉じて、再度、スタートスイッチをＯＮ操作すると、停止していた送液を開始することができる。
【００８９】
つまり、制御部９１は、ステップＳ９での警告後、スタートスイッチがＯＮされたか否かを判定（Ｓ１０）する待機状態となり、スタートスイッチがＯＮされると、ステップＳ４へ移行する。そして、制御部９１は、コンプレッサ５１、及び圧力開放切替弁５６を駆動して、途中で停止していた薬剤、洗剤、又はアルコールの送液を再開する。尚、制御部９１は、各扉部６〜８が閉じられると、警告表示機９ａ、及び警報機９８の駆動を停止制御する。
【００９０】
以上に説明したように、本実施の形態の内視鏡洗浄消毒装置１は、工程開始時に薬剤ボトル装着部４４の扉部６、洗剤ボトル装着部４５の扉部７、及びアルコールボトル装着部４６の扉部８が開いた状態であることをユーザに警告する。また、内視鏡洗浄消毒装置１は、各ボトル４１〜４３からの薬剤、洗剤、又はアルコールの液体を送液中において、ユーザによって誤って、各扉部６〜８が開けられると、加圧空気の送気を中止して、各ボトル４１〜４３内の圧力を大気圧まで低下させると共に、扉部６〜８が開いたことを警告する。
【００９１】
以上から、本実施の形態の内視鏡洗浄消毒装置１のように、加圧空気を供給して各ボトル４１〜４３内の液体を送液する構成において、扉部６〜８が開くと、各ボトル４１〜４３内の圧力を大気圧まで低下させるため、各ボトル４１〜４３内の薬剤、洗剤、又はアルコールが口部４７，４８から噴出して漏れることを防止することができる。
【００９２】
また、内視鏡洗浄消毒装置１は、上述したように、薬剤ボトル装着部４４に装着された薬剤ボトル４１、及び洗剤ボトル装着部４５に装着された洗剤ボトル４２が薬剤、及び洗剤を使い切られないとボトルトレイ７２のロック用孔部７２ａとロック部材７６のロック体７６ａ等から構成された固定機構が解除されず、取り出すことができない構成となっている。そのため、内視鏡洗浄消毒装置１は、扉部６，７が開くと、各ボトル４１，４２内の圧力を大気圧まで低下させた構成、及び、固定機構によって、薬剤、及び洗剤が漏れ出すことが２重で防止する構成となっている。
【００９３】
また、内視鏡洗浄消毒装置１は、上述したように、アルコールボトル装着部４６に装着されたアルコールボトル４３をユーザが任意で固定機構を解除して、取り出すことができるが、扉部８が開くと、アルコールボトル４３内の圧力を大気圧まで低下させて、アルコールが漏れ出すことを防止することができる構成となっている。尚、本実施の形態において、アルコールボトル４３は、ユーザが任意でアルコールボトル装着部４６から取り外すことができる構成とした理由として、濃縮液の薬剤、及び洗剤に比して、アルコールが人体に触れても殆ど影響の無い液体であり、大気にすぐに気化するためのである。しかし、アルコールボトル装着部４６は、薬剤ボトル４１を装着する薬剤ボトル装着部４４、及び洗剤ボトル４２を装着する洗剤ボトル装着部４５と同様な構成として、アルコールボトル４３をユーザが任意で取り外すことができない構成としても構わない。
【００９４】
以上に記載した発明は、この実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００９５】
例えば、上記実施形態に示される全構成要件から幾つかの構成要件が削除されても、発明が解決しようとする課題が解決でき、述べられている効果が得られる場合には、この構成要件が削除された構成が発明として抽出され得る。
【００９６】
また、以上に記載の発明は、以下の特徴を備えている。
【００９７】
（付記項１）
洗浄槽に配置された内視鏡を洗浄消毒する内視鏡洗浄消毒装置において、
装置本体に着脱自在に装着され、上記内視鏡を洗浄消毒するための所定の回数分の濃縮液が貯溜されたボトルと、
上記装置本体に装着された上記ボトルと気密に接続され、内路を大気開放する圧力開放弁が配設された送気路と、
該送気路を介して、上記ボトル内に加圧空気を供給する加圧部と、
上記ボトルと水密に接続され、上記加圧空気の圧力により上記ボトル内の上記濃縮液が送液される送液路と、
上記濃縮液の送液量を検出する検知部と、
上記送気路、及び上記送液路と気密、及び水密に接続された状態の上記ボトルを固定する固定機構と、
上記圧力開放弁、及び上記加圧部を制御すると共に、上記検知部による検出信号から演算して上記濃縮液が上記所定の回数分の液量に達したときに、上記固定機構を解除する制御部と、
を具備することを特徴とする内視鏡洗浄消毒装置。
【００９８】
（付記項２）
さらに、
上記ボトルを装着するボトル装着部に開閉自在に設けられた扉部と、
該扉部の開閉を検知する扉センサと、
を備え、
上記制御部は、上記扉センサから上記扉部が開いた検出信号が入力されると、上記圧力開放弁を大気開放側へ切替えると共に、上記加圧部の駆動を停止することを特徴とする付記項１に記載の内視鏡洗浄消毒装置。
【００９９】
（付記項３）
さらに
警告装置を備え、
上記制御部は、上記扉センサから上記扉部が開いた検出信号が入力されると、上記警告装置を駆動することを特徴とする付記項２に記載の内視鏡洗浄消毒装置。
【０１００】
（付記項４）
上記扉部は、閉じたときに、上記ボトルと当接して、該ボトルを上記ボトル装着部内の上記送気路側、及び上記送液路側へ移動させて接続させる押込部材を備えていることを特徴とする付記項３、又は付記項４に記載の内視鏡洗浄消毒装置。
【０１０１】
（付記項５）
さらに、
装置本体に着脱自在に装着され、上記内視鏡を乾燥するためのアルコールが貯溜されたアルコールボトルと、
上記送気路に設けられた切替弁により連通し、上記装置本体に装着された上記アルコールボトルと気密に接続されたアルコールボトル側送気路と、
上記アルコールボトルと水密に接続され、上記加圧空気の圧力により上記アルコールボトル内の上記アルコールが送液されるアルコール供給路と、
上記アルコールボトル側送気路、及び上記アルコール供給路と気密、及び水密に接続された状態の上記アルコールボトルを固定する手動で解除可能な固定部材と、
を具備することを特徴とする付記項１から付記項４の何れか１項に記載の内視鏡洗浄消毒装置。
【図面の簡単な説明】
【０１０２】
【図１】本発明の一実施の形態の内視鏡洗浄消毒装置を示す斜視図
【図２】同、内視鏡洗浄消毒装置の内部を示す概略構成図
【図３】同、薬剤ボトルが装着された薬剤ボトル装着部の構成を示す部分断面図
【図４】同、薬剤ボトル装着部の扉部が開放された状態を示す部分断面図
【図５】同、アルコールボトルが装着されたアルコールボトル装着部の構成を示す部分断面図
【図６】同、薬剤ボトルの構成を示す断面図
【図７】同、薬剤ボトル装着部に装着された薬剤ボトルを示す断面図
【図８】同、制御部に接続される各センサ、及び各駆動要素を示す概略構成図
【図９】同、制御部が実行する一制御例を示すフローチャート
【符号の説明】
【０１０３】
１…内視鏡洗浄消毒装置
２…装置本体
４…洗浄槽
６，７，８…扉部
９ａ…警告表示機
９…操作パネル
２８ａ…水位センサ
２８…薬液タンク
４１…薬剤ボトル
４２…洗剤ボトル
４３…アルコールボトル
４４…薬剤ボトル装着部
４５…洗剤ボトル装着部
４６…アルコールボトル装着部
４７，４８…口部
５１…コンプレッサ
５４…定圧タンク
５５…圧力センサ
５６…圧力開放切替弁
５７，５８…送気路切替弁
５９…洗剤ボトル側送気管路
６０…薬剤ボトル側送気管路
６１…送気管路
６４…薬剤供給管路
６５，６９…流量計
６６…洗剤供給管路
６７…アルコールボトル側送気管路
６８…アルコール供給管路
７１…ボトル収容部
７２…ボトルトレイ
７２ａ…ロック用孔部
７３…口部保持体
７３ａ，７３ｂ…孔部
７４…車輪部
７５…レール
７６ａ…ロック体
７６…ロック部材
７６ｂ…検知端部
７７…回動軸部
７９…押込部材
８０…扉検知センサ
８１…ソレノイド
８２…バネ
８３…ロック検知センサ
９１ａ…ＣＰＵ
９１ｂ…メモリ
９１…制御部
９８…警報機
１０１…内視鏡
１０２…挿入部
１０３…操作部
【図１】
0005191225.tif 000002
【図２】
0005191225.tif 000003
【図３】
0005191225.tif 000004
【図４】
0005191225.tif 000005
【図５】
0005191225.tif 000006
【図６】
0005191225.tif 000007
【図７】
0005191225.tif 000008
【図８】
0005191225.tif 000009
【図９】
0005191225.tif 000010